(57)【要約】【課題】スライド式の電子機器を繰り返しスライド操作させても断線が起こりにくい耐久性に優れたフレキシブルプリント配線板、フレキシブルプリント配線板の取付構造及び電子機器を提供することを課題とする。【解決手段】相対的にスライド可能な第１部材と第２部材とを電気的に接続すべく、Ｕ字状の屈曲部を形成するようにして第１部材と第２部材との間にフレキシブルプリント配線板２０が配置される。該フレキシブルプリント配線板２０は、第１部材と第２部材の相対的なスライド方向Ａに沿って配線された一対の平行配線領域２２と、該一対の平行配線領域２２間に位置してスライド方向Ａに対して傾斜して配線された傾斜配線領域２３とを備え、該傾斜配線領域２３に屈曲部が形成される。【選択図】      図３
2011086689.tif 000002
【特許請求の範囲】
【請求項１】
相対的にスライド可能な第１部材と第２部材とを電気的に接続すべく、Ｕ字状の屈曲部を形成するようにして前記第１部材と前記第２部材との間に配置されるフレキシブルプリント配線板であって、
前記第１部材と前記第２部材の相対的なスライド方向に沿って配線された一対の平行配線領域と、該一対の平行配線領域間に位置して前記スライド方向に対して傾斜して配線された傾斜配線領域とを備え、該傾斜配線領域に前記屈曲部が形成されることを特徴とするフレキシブルプリント配線板。
【請求項２】
相対的にスライド可能な第１部材と第２部材とを電気的に接続すべく、Ｕ字状の屈曲部を形成するようにして前記第１部材と前記第２部材との間にフレキシブルプリント配線板が配置されたフレキシブルプリント配線板の取付構造であって、
前記フレキシブルプリント配線板における前記第１部材への取付位置から前記屈曲部までの部分と前記第２部材への取付位置から前記屈曲部までの部分とが、重なり合う方向から見て互いに傾斜した関係となるように、前記第１部材への取付位置と前記第２部材への取付位置のうち少なくとも一方において、前記フレキシブルプリント配線板が前記第１部材と前記第２部材の相対的なスライド方向に対して傾斜して取り付けられていることを特徴とするフレキシブルプリント配線板の取付構造。
【請求項３】
相対的にスライド可能な第１部材と第２部材とを備え、前記第１部材と前記第２部材とを電気的に接続すべく、Ｕ字状の屈曲部を形成するようにして前記第１部材と前記第２部材の間にフレキシブルプリント配線板が配置された電子機器であって、
前記第１部材と前記第２部材の相対的なスライド方向に沿って配線された一対の平行配線領域と、該一対の平行配線領域間に位置して前記スライド方向に対して傾斜して配線された傾斜配線領域とを備え、該傾斜配線領域に前記屈曲部が形成されることを特徴とする電子機器。
【請求項４】
相対的にスライド可能な第１部材と第２部材とを備え、前記第１部材と前記第２部材とを電気的に接続すべく、Ｕ字状の屈曲部を形成するようにして前記第１部材と前記第２部材の間にフレキシブルプリント配線板が配置された電子機器であって、
前記フレキシブルプリント配線板における前記第１部材への取付位置から前記屈曲部までの部分と前記第２部材への取付位置から前記屈曲部までの部分とが、重なり合う方向から見て互いに傾斜した関係となるように、前記第１部材への取付位置と前記第２部材への取付位置のうち少なくとも一方において、前記フレキシブルプリント配線板が前記第１部材と前記第２部材の相対的なスライド方向に対して傾斜して取り付けられていることを特徴とする電子機器。
【発明の詳細な説明】
【技術分野】
【０００１】
本発明は、例えば携帯電話等の電子機器に使用されるフレキシブルプリント配線板、フレキシブルプリント配線板の取付構造及びフレキシブルプリント配線板を使用した携帯電話等の電子機器に関するものである。
【背景技術】
【０００２】
この種の携帯電話等の電子機器には、柔軟性という特性を利用してフレキシブルプリント配線板が使用されている。特に、スライド式の電子機器においては、相対的にスライドする上側部材と下側部材との間にＵ字状の屈曲部を形成するようにしてフレキシブルプリント配線板が配置され、該フレキシブルプリント配線板によって上側部材の基板と下側部材の基板とが電気的に接続されている（下記特許文献１）。
【０００３】
このようなスライド式の電子機器に使用されるフレキシブルプリント配線板では、上側部材と下側部材の相対的なスライド移動に伴って、そのＵ字状の屈曲部の形成位置が所定範囲内で変化することになる。即ち、上側部材と下側部材の相対的なスライド移動が繰り返されることによって、フレキシブルプリント配線板が局所的に屈伸を繰り返すことになる。このようにフレキシブルプリント配線板が局所的に屈伸を繰り返すと、その導体が金属疲労によって断線しやすくなり、特に電子機器が薄型になると、それに伴ってフレキシブルプリント配線板の屈曲部の曲率半径も小さくなるので、断線のおそれも高まることになる。
【先行技術文献】
【特許文献】
【０００４】
【特許文献１】特開２００９−１７４４８号公報
【発明の概要】
【発明が解決しようとする課題】
【０００５】
それゆえに本発明は上記従来の問題点に鑑みてなされ、スライド式の電子機器を繰り返しスライド操作させても断線が起こりにくい耐久性に優れたフレキシブルプリント配線板、フレキシブルプリント配線板の取付構造及び電子機器を提供することを課題とする。
【課題を解決するための手段】
【０００６】
本発明は上記課題を解決すべくなされたものであって、本発明に係るフレキシブルプリント配線板は、相対的にスライド可能な第１部材と第２部材とを電気的に接続すべく、Ｕ字状の屈曲部を形成するようにして前記第１部材と前記第２部材との間に配置されるフレキシブルプリント配線板であって、前記第１部材と前記第２部材の相対的なスライド方向に沿って配線された一対の平行配線領域と、該一対の平行配線領域間に位置して前記スライド方向に対して傾斜して配線された傾斜配線領域とを備え、該傾斜配線領域に前記屈曲部が形成されることを特徴とする。
【０００７】
該構成のフレキシブルプリント配線板にあっては、傾斜配線領域にＵ字状の屈曲部が形成されるので、屈曲部において導体がスライド方向に対して傾斜することとなる。屈曲部においては引張応力と圧縮応力が生じるが、従来のように屈曲部において導体がスライド方向に沿っている場合には、これらの応力が導体に対してその軸線方向に直接作用することになる。それに対して上記構成のように屈曲部において導体が傾斜していると、屈曲によって生じる応力が導体の軸線方向に直接作用せず、その周りの樹脂部分にも分散して作用することになる。また導体が傾斜していることによって、屈曲部において導体の見かけ上の曲率半径が大きくなる。
【０００８】
また本発明に係るフレキシブルプリント配線板の取付構造は、相対的にスライド可能な第１部材と第２部材とを電気的に接続すべく、Ｕ字状の屈曲部を形成するようにして前記第１部材と前記第２部材との間にフレキシブルプリント配線板が配置されたフレキシブルプリント配線板の取付構造であって、前記フレキシブルプリント配線板における前記第１部材への取付位置から前記屈曲部までの部分と前記第２部材への取付位置から前記屈曲部までの部分とが、重なり合う方向から見て互いに傾斜した関係となるように、前記第１部材への取付位置と前記第２部材への取付位置のうち少なくとも一方において、前記フレキシブルプリント配線板が前記第１部材と前記第２部材の相対的なスライド方向に対して傾斜して取り付けられていることを特徴とする。
【０００９】
該構成のフレキシブルプリント配線板の取付構造にあっては、第１部材への取付位置と第２部材への取付位置のうち少なくとも一方において、フレキシブルプリント配線板がスライド方向に対して傾斜して取り付けられている。従って、フレキシブルプリント配線板の導体が、屈曲部においてスライド方向に対して傾斜した状態となる。このように屈曲部で導体が傾斜することにより、屈曲によって生じる応力が樹脂部分にも分散され、また屈曲部において導体の見かけ上の曲率半径も大きくなる。尚、第１部材への取付位置から屈曲部までの部分と第２部材への取付位置から屈曲部までの部分とが重なり合う方向から見て互いに傾斜した関係となることとは、例えば第１部材と第２部材とが上下に重なり合っている場合には、フレキシブルプリント配線板を上下方向に見て、即ち平面視において、両部分が互いに傾斜した関係となることを意味する。
【００１０】
また本発明に係る電子機器は、相対的にスライド可能な第１部材と第２部材とを備え、前記第１部材と前記第２部材とを電気的に接続すべく、Ｕ字状の屈曲部を形成するようにして前記第１部材と前記第２部材の間にフレキシブルプリント配線板が配置された電子機器であって、前記第１部材と前記第２部材の相対的なスライド方向に沿って配線された一対の平行配線領域と、該一対の平行配線領域間に位置して前記スライド方向に対して傾斜して配線された傾斜配線領域とを備え、該傾斜配線領域に前記屈曲部が形成されることを特徴とする。
【００１１】
該構成の電子機器にあっては、フレキシブルプリント配線板の屈曲部において導体が傾斜しているので、屈曲によって生じる応力が導体の軸線方向に直接作用せず、その周りの樹脂部分にも分散して作用することになる。また導体が傾斜していることによって、屈曲部において導体の見かけ上の曲率半径が大きくなる。
【００１２】
また本発明に係る電子機器は、相対的にスライド可能な第１部材と第２部材とを備え、前記第１部材と前記第２部材とを電気的に接続すべく、Ｕ字状の屈曲部を形成するようにして前記第１部材と前記第２部材の間にフレキシブルプリント配線板が配置された電子機器であって、前記フレキシブルプリント配線板における前記第１部材への取付位置から前記屈曲部までの部分と前記第２部材への取付位置から前記屈曲部までの部分とが、重なり合う方向から見て互いに傾斜した関係となるように、前記第１部材への取付位置と前記第２部材への取付位置のうち少なくとも一方において、前記フレキシブルプリント配線板が前記第１部材と前記第２部材の相対的なスライド方向に対して傾斜して取り付けられていることを特徴とする。
【００１３】
該構成の電子機器にあっては、フレキシブルプリント配線板の導体が屈曲部においてスライド方向に対して傾斜した状態となる。従って、屈曲によって生じる応力が樹脂部分にも分散され、また屈曲部において導体の見かけ上の曲率半径も大きくなる。
【発明の効果】
【００１４】
以上のように、屈曲によって生じる応力が導体のみならず樹脂部分にも分散されて、屈曲部において導体の見かけ上の曲率半径も大きくなるので、スライド操作の繰り返しによって屈曲部が屈伸しても断線しにくくなり、耐久性が向上する。また屈曲部における耐久性が向上するので、電子機器の薄型化にも適している。
【図面の簡単な説明】
【００１５】
【図１】本発明の一実施形態における電子機器を示す斜視図であって、（ａ）は非スライド状態を示し、（ｂ）はスライド状態を示している。
【図２】同実施形態における電子機器を示す断面図であって、（ａ）は非スライド状態を示し、（ｂ）はスライド状態を示している。
【図３】同実施形態の電子機器に使用されているフレキシブルプリント配線板を示す平面図である。
【図４】本発明の他の実施形態におけるフレキシブルプリント配線板の取付状態を示す平面図である。
【発明を実施するための形態】
【００１６】
以下、本発明の一実施形態に係る電子機器について、図１〜図３を参酌しつつ説明する。図１及び図２に示すように、本実施形態における電子機器は、上側部材１（第１部材）と下側部材２（第２部材）とが互いにスライド移動するスライド式の携帯電話である。上側部材１は表示部３を備え、下側部材２は操作部４を備えている。上側部材１と下側部材２はそれぞれ筐体を備えており、上側部材１の筐体の下面と下側部材２の筐体の上面とが互いに対向して平行を保ちながら水平にスライド移動する。尚、上側部材１に第２の操作部を設けてもよい。
【００１７】
また上側部材１と下側部材２の各筐体内には、制御基板１１、１２がそれぞれ収容され、両制御基板１１、１２同士がフレキシブルプリント配線板２０によって電気的に接続されている。即ち、上側部材１の筐体と下側部材２の筐体間にフレキシブルプリント配線板２０が配置され、該フレキシブルプリント配線板２０の両端部が上側部材１の制御基板１１と下側部材２の制御基板１２にそれぞれコネクタ１３、１４を介して接続されている。
【００１８】
フレキシブルプリント配線板２０は、所定幅を有する帯状のものが使用され、その長手方向がスライド方向Ａに沿うようにして配置される。そしてフレキシブルプリント配線板２０は、その中途部において上下に折り返されることで、側面視においてＵ字状の屈曲部２１が形成される。即ち、上側部材１への取付位置であるコネクタ１３から屈曲部２１までの部分と、下側部材２への取付位置であるコネクタ１４から屈曲部２１までの部分とは、上下方向に見て、つまり平面視において、互いに傾斜した関係にはなく完全に重なり合った状態にあって、いずれの部分もスライド方向Ａに沿って伸びている。そして、屈曲部２１の位置は、上側部材１と下側部材２の相対的なスライド移動に伴って、フレキシブルプリント配線板２０の長手方向、即ちスライド方向Ａに沿って変化する。従って、屈曲部２１が形成される領域（屈曲部形成領域）は、フレキシブルプリント配線板２０の長手方向に沿った所定長さの領域である。
【００１９】
このフレキシブルプリント配線板２０は、導体３０の両面が接着剤層を介して一対の絶縁層３１により被覆されたものである。具体的には、導体３０として銅箔等の金属箔が用いられ、該金属箔をエッチング加工することにより線状の導体３０が複数並設される。この導体３０を被覆する絶縁層３１には、柔軟な樹脂フィルムが使用される。該樹脂フィルムとしては、例えば、ポリアミド系の樹脂フィルム、ポリイミド、ポリアミドイミドなどのポリイミド系の樹脂フィルム、耐熱性ポリエステルフィルム及びポリエチレンナフタレートフィルム等が好適であり、その厚さは１０μｍ〜５０μｍが好ましい。また樹脂フィルムと導体３０とを接着するための接着剤層としては、柔軟性や耐熱性に優れたものが好ましく、例えばナイロン系、エポキシ樹脂系、ブチラール樹脂系、アクリル樹脂系などが使用される。尚、導体３０の厚さは９μｍ〜３５μｍが好ましい。
【００２０】
本実施形態において、フレキシブルプリント配線板２０は、図３に示すように、通常よりも幅広に形成されていて、その長手方向の一端部側と他端部側にはそれぞれ導体３０が長手方向、即ちスライド方向Ａに沿って配線された平行配線領域２２が設けられている。そして、両平行配線領域２２の間には、スライド方向Ａに対して所定角度で傾斜して導体３０が配線された傾斜配線領域２３が設けられている。傾斜配線領域２３は、そのフレキシブルプリント配線板２０の長手方向の長さ（即ちスライド方向Ａの長さ）が、上述した屈曲部形成領域におけるそれと同じか、或いはそれよりも長くなっている。従って、下側部材２に対する上側部材１の位置に関わらず、常に傾斜配線領域２３に屈曲部２１が形成されることになる。
【００２１】
以上のように構成されたスライド式の電子機器にあっては、傾斜配線領域２３にＵ字状の屈曲部２１が形成されるので、その屈曲部２１において導体３０がスライド方向Ａに対して傾斜した状態となる。従って、屈曲部２１に生じる引張応力や圧縮応力が全て導体３０の軸線方向に直接作用するということはなく、絶縁層３１を構成する樹脂フィルムにも分散されることになる。また屈曲部２１において導体３０が傾斜しているので、導体３０の見かけ上の曲率半径も大きくなる。従って、屈曲によって導体３０に作用する応力を従来に比して小さくすることができる。このようなスライド式の電子機器ではスライド操作が繰り返され、それに伴ってフレキシブルプリント配線板２０は、その屈曲部形成領域において屈伸を繰り返すことになるが、導体３０に作用する応力が従来に比して小さくなっているので、導体３０の断線が起こりにくくなり、フレキシブルプリント配線板２０の耐久性が向上することになる。
【００２２】
次に、上記スライド式の電子機器にフレキシブルプリント配線板２０を上述した構造とは異なる構造で取り付けたものについて説明する。図４にその取付構造の概略を示している。図４に示すように、このフレキシブルプリント配線板２０は帯状であって、その導体３０は全長に亘って長手方向に沿っており、その点において従来のものと同じであるが、その取付構造が異なっている。即ち、フレキシブルプリント配線板２０の両端部が平面視において左右に位置ずれしており、屈曲部２１を介してフレキシブルプリント配線板２０がへの字状となる。この実施形態では、フレキシブルプリント配線板２０の下側部材２への取付位置に対して上側部材１への取付位置が右側に位置ずれしている。つまり、上側部材１のコネクタ１３が下側部材２のコネクタ１４に対して右側に位置ずれして配置され、各コネクタ１３、１４にフレキシブルプリント配線板２０の両端部がそれぞれスライド方向Ａに対して所定角度傾斜するようにして挿入され、取り付けられている。従って、取付状態のフレキシブルプリント配線板２０を上下方向に見た場合、上側部材１のコネクタ１３から屈曲部２１までの部分と下側部材２のコネクタ１４から屈曲部２１までの部分とは互いに傾斜した関係となり、両部分はいずれもスライド方向Ａに対して傾斜した状態にあり、しかも、その傾斜方向は互いに逆である。
【００２３】
このようにフレキシブルプリント配線板２０の両端部は、平面視において、それぞれスライド方向Ａに対して所定角度傾斜すると共に、その傾斜方向が互いに逆向きとなるようにして、上側部材１のコネクタ１３と下側部材２のコネクタ１４に取り付けられている。従って、フレキシブルプリント配線板２０の導体３０は、屈曲部２１においてスライド方向Ａに対して傾斜することになる。そのため、屈曲によって生じる応力が絶縁層３１を構成する樹脂フィルムにも分散され、また屈曲部２１における導体３０の見かけ上の曲率半径も大きくなり、耐久性が向上する。しかも、フレキシブルプリント配線板２０やコネクタ１３、１４については従来のものをそのまま使用することができるため、汎用性にも優れている。
【００２４】
尚、この実施形態では、フレキシブルプリント配線板２０の両端部をいずれもスライド方向Ａに対して傾斜して取り付けたが、両端部のうちの一方のみを傾斜して取り付けるようにしてもよい。
【００２５】
また携帯電話を例にして説明したが、携帯電話に限定されるものではなく、種々の構造のスライド式の電子機器に適用可能である。
【産業上の利用可能性】
【００２６】
本発明は、スライド式の携帯電話などの種々のスライド式の電子機器、及びそれに使用されるフレキシブルプリント配線板として利用することができる。
【符号の説明】
【００２７】
１      上側部材（第１部材）
２      下側部材（第２部材）
３      表示部
４      操作部
１１    制御基板
１２    制御基板
１３    コネクタ
１４    コネクタ
２０    フレキシブルプリント配線板
２１    屈曲部
２２    平行配線領域
２３    傾斜配線領域
３０    導体
３１    絶縁層
Ａ      スライド方向
【図１】
2011086689.tif 000003
【図２】
2011086689.tif 000004
【図３】
2011086689.tif 000005
【図４】
2011086689.tif 000006